(57)【要約】【課題】  排紙部に排紙されるトナー画像が定着された記録媒体に冷却風を吹き付けて、記録媒体を冷却させるにあたり、排紙部に前記の記録媒体を後処理装置に導く搬送ユニットを装着させた場合にも、記録媒体が適切に搬送されて冷却されるようにする。【解決手段】  排紙部４に排紙されるトナー画像が定着された記録媒体Ｓに冷却風を吹き付けて、記録媒体Ｓを冷却させるにあたり、前記の排紙部４に前記の記録媒体Ｓを後処理装置６に導く搬送ユニット５を装着させた場合に、搬送ユニット５が装着されていない場合よりも、前記の記録媒体Ｓに対して吹き付ける冷却風の垂直方向の風量が少なくなるようにした。【選択図】  図５
2014021250.tif 000002
【特許請求の範囲】
【請求項１】
トナー画像が定着された記録媒体を排紙させる排紙部に、前記の記録媒体に冷却風を吹き付けて記録媒体を冷却させる冷却風吹付け装置が設けられると共に、前記の排紙部にトナー画像が定着された記録媒体を後処理装置に導く搬送ユニットが装着される画像形成装置において、前記の冷却風吹付け装置から記録媒体に対して吹き付ける冷却風の垂直方向の風量を調整する冷却風調整手段を設け、この冷却風調整手段により、前記の排紙部に搬送ユニットが装着された状態では、搬送ユニットが装着されていない状態よりも、前記の記録媒体に対して吹き付ける冷却風の垂直方向の風量を少なくすることを特徴とする画像形成装置。
【請求項２】
請求項１に記載の画像形成装置において、前記の排紙部にトナー画像が定着された記録媒体を排紙させる排紙ローラーが設けられ、この排紙ローラーよりも排紙方向下流側の位置において、前記の冷却風吹付け装置から記録媒体に対して冷却風を吹き付けることを特徴とする画像形成装置。
【請求項３】
請求項１又は請求項２に記載の画像形成装置において、前記の冷却風吹付け装置は、前記の記録媒体の上方から冷却風を吹き付けることを特徴とする画像形成装置。
【請求項４】
請求項１〜請求項３の何れか１項に記載の画像形成装置において、前記の冷却風調整手段は、冷却風吹付け装置から記録媒体に対して吹き付ける冷却風の風量を変更させて、記録媒体に対して吹き付ける冷却風の垂直方向の風量を調整することを特徴とする画像形成装置。
【請求項５】
請求項１〜請求項４の何れか１項に記載の画像形成装置において、前記の冷却風調整手段は、冷却風吹付け装置から記録媒体に対して吹き付ける冷却風の風向を変更させて、記録媒体に対して吹き付ける冷却風の垂直方向の風量を調整することを特徴とする画像形成装置。
【発明の詳細な説明】
【技術分野】
【０００１】
本発明は、複写機、プリンター、ファクシミリ及びこれらの複合機からなる画像形成装置に関するものである。特に、トナー画像が定着された記録媒体を排紙させる排紙部に、前記の記録媒体に冷却風を吹き付けて記録媒体を冷却させる冷却風吹付け装置が設けられると共に、前記の排紙部にトナー画像が定着された記録媒体を後処理装置に導く搬送ユニットが装着される画像形成装置において、トナー画像が定着された記録媒体を適切に冷却できるようにすると共に、排紙部に前記の搬送ユニットを装着させた場合に、冷却風によってトナー画像が定着された記録媒体の搬送が阻害されることなく、トナー画像が定着された記録媒体が搬送ユニットを通して適切に後処理装置に導かれるようにした点に特徴を有するものである。
【背景技術】
【０００２】
複写機、プリンター、ファクシミリ及びこれらの複合機からなる画像形成装置においては、定着装置によって記録媒体にトナー画像を加熱定着させた後、このようにトナー画像が定着された記録媒体を排紙部に排紙させる場合、一般に、トナー画像が定着された記録媒体の温度が高温になっているため、特許文献１に示されるように、排紙部に排紙される記録媒体に対して、冷却風吹付け装置から冷却風を吹き付けて、トナー画像が定着された記録媒体を冷却させることが行われている。
【０００３】
また、近年においては、前記のようにトナー画像が定着された記録媒体に対して、ステープル処理やパンチ穴処理や折り処理等の後処理を行うようにするため、前記の排紙部に搬送ユニットを装着させ、トナー画像が定着された記録媒体を排紙部からこの搬送ユニットを通して後処理装置に導くようにしたものが用いられている。
【０００４】
そして、このようにトナー画像が定着された記録媒体を排紙部から後処理装置に導くように、排紙部に搬送ユニットを装着させるようにした画像形成装置において、トナー画像が定着された記録媒体に対して、冷却風吹付け装置から冷却風を吹き付けて記録媒体を冷却させるにあたり、従来においては、特許文献２に示されるように、冷却風吹付け装置からトナー画像が定着された記録媒体に対して吹き付ける冷却風を制御させるようにしたものが提案されている。
【０００５】
ここで、特許文献２に示されるものにおいては、トナー画像が定着された記録媒体に冷却風を吹き付ける冷却風吹付け装置を、記録媒体を排紙させる排紙ローラーよりも排紙方向上流側の位置に設け、この冷却風吹付け装置から記録媒体に吹き付ける冷却風の風量を制御し、搬送ユニットを装着させていない状態では、トナー画像が定着された記録媒体に吹き付ける冷却風の風量を弱くし、或いは冷却風の吹き付けを停止させる一方、搬送ユニットを装着させた状態では、トナー画像が定着された記録媒体に吹き付ける冷却風の風量を強くして、トナー画像が定着された記録媒体を急速に冷却させるようにしている。
【０００６】
しかし、記録媒体を排紙させる排紙ローラーよりも排紙方向上流側の位置に冷却風吹付け装置を設けた場合、トナー画像が定着された記録媒体が排紙ローラーに導かれる前に、冷却風吹付け装置から記録媒体に冷却風が吹き付けられて、記録媒体が排紙ローラーに適切に導かれなくなって、記録媒体が詰まったりする等の問題があった。
【０００７】
また、搬送ユニットを装着させていない場合に、トナー画像が定着された記録媒体に吹き付ける冷却風の風量を弱くし、或いは冷却風の吹き付けを停止させると、トナー画像が定着された記録媒体が十分に冷却されなくなる。そして、このようにトナー画像が定着された記録媒体が十分に冷却されていない状態で、順々に排紙部に排紙されて積層されるようになり、特に、排紙部が画像形成装置部と画像読取装置部との間の空間に設けられている画像形成装置においては、記録媒体の熱が外部に適切に排出されずに、この排紙部に熱がこもり、排紙部に排出されて積層された記録媒体相互がくっついたりする等の問題が発生した。
【０００８】
また、搬送ユニットを装着させた場合に、トナー画像が定着された記録媒体に吹き付ける冷却風の風量を強くすると、記録媒体が排紙ローラーに適切に導かれなくなると共に、排紙ローラーに導かれたとしても、この冷却風によって記録媒体が振動する等により、この記録媒体が排紙ローラーから搬送ユニットに適切に導かれなくなって、記録媒体が詰まったりする等の問題があった。
【先行技術文献】
【特許文献】
【０００９】
【特許文献１】特開２００８−１３４４８４号公報
【特許文献２】特開２００６−１３８８９２号公報
【発明の概要】
【発明が解決しようとする課題】
【００１０】
本発明は、トナー画像が定着された記録媒体を排紙させる排紙部に、前記の記録媒体に冷却風を吹き付けて記録媒体を冷却させる冷却風吹付け装置を設けると共に、前記の排紙部にトナー画像が定着された記録媒体を後処理装置に導く搬送ユニットを装着させるようになった画像形成装置における前記のような問題を解決することを課題とするものである。
【００１１】
すなわち、本発明においては、前記のような画像形成装置において、トナー画像が定着された記録媒体を適切に冷却できるようにすると共に、排紙部にトナー画像が定着された記録媒体を後処理装置に導く搬送ユニットを装着させた場合において、トナー画像が定着された記録媒体の搬送が冷却風によって阻害されることなく、トナー画像が定着された記録媒体が搬送ユニットに導かれ、この搬送ユニットを通して記録媒体が後処理装置に適切に搬送されるようにすることを課題とするものである。
【課題を解決するための手段】
【００１２】
本発明においては、前記の課題を解決するため、トナー画像が定着された記録媒体を排紙させる排紙部に、前記の記録媒体に冷却風を吹き付けて記録媒体を冷却させる冷却風吹付け装置が設けられると共に、前記の排紙部にトナー画像が定着された記録媒体を後処理装置に導く搬送ユニットが装着される画像形成装置において、前記の冷却風吹付け装置から記録媒体に対して吹き付ける冷却風の垂直方向の風量を調整する冷却風調整手段を設け、この冷却風調整手段により、前記の排紙部に搬送ユニットが装着された状態では、搬送ユニットが装着されていない状態よりも、前記の記録媒体に対して吹き付ける冷却風の垂直方向の風量が少なくなるようにした。
【００１３】
ここで、この画像形成装置において、前記の冷却風吹付け装置から記録媒体に冷却風を吹き付けるにあたっては、トナー画像が定着された記録媒体が、この記録媒体を排紙部に排紙させる排紙ローラーに適切に導かれるようにするため、前記の排紙ローラーよりも排紙方向下流側の位置において、前記の冷却風吹付け装置から記録媒体に冷却風を吹き付けるようにすることが好ましい。
【００１４】
また、前記の冷却風吹付け装置から記録媒体に冷却風を吹き付けるにあたっては、記録媒体が振動したりするのを抑制するため、前記の記録媒体の上方から冷却風を吹き付けるようにすることが好ましい。
【００１５】
そして、この画像形成装置において、前記の冷却風調整手段によって、冷却風吹付け装置から記録媒体に対して吹き付ける冷却風の垂直方向の風量を調整するにあたっては、冷却風吹付け装置から記録媒体に対して吹き付ける冷却風の風量を変更させて、記録媒体に対して吹き付ける冷却風の垂直方向の風量を調整したり、冷却風吹付け装置から記録媒体に対して吹き付ける冷却風の風向を変更させて、記録媒体に対して吹き付ける冷却風の垂直方向の風量を調整したりすることができる。
【発明の効果】
【００１６】
本発明の画像形成装置においては、前記のようにトナー画像が定着された記録媒体を排紙させる排紙部に設けられた冷却風吹付け装置により、前記の記録媒体に冷却風を吹き付けて記録媒体を冷却させるにあたり、前記の冷却風調整手段により、冷却風吹付け装置から記録媒体に対して吹き付ける冷却風の垂直方向の風量を調整し、前記の排紙部に搬送ユニットが装着された状態では、搬送ユニットが装着されていない状態よりも、前記の記録媒体に対して吹き付ける冷却風の垂直方向の風量が少なくなるようにした。
【００１７】
この結果、本発明の画像形成装置においては、排紙部に搬送ユニットが装着された状態では、冷却風吹付け装置から記録媒体に対して垂直方向に吹き付ける冷却風の吹付け力が弱くなり、この冷却風によって記録媒体が排紙部において振動したりするのが抑制され、トナー画像が定着された記録媒体が搬送ユニットに適切に導かれ、この搬送ユニットを通して後処理装置に適切に搬送されるようになる。
【００１８】
一方、排紙部に搬送ユニットが装着されていない状態では、冷却風吹付け装置から記録媒体に対して垂直方向に吹き付ける冷却風の吹付け力が強くなり、この冷却風によってトナー画像が定着された記録媒体が十分に冷却され、このように記録媒体が十分に冷却された状態で排紙部に順々に排紙されて積層されるようになり、排紙部が画像形成装置部と画像読取装置部との間の空間に設けられている画像形成装置においても、排紙部に熱がこもったり、排紙部に排出されて積層された記録媒体相互がくっついたりするということがなくなる。
【図面の簡単な説明】
【００１９】
【図１】本発明の実施形態に係る画像形成装置において、排紙部が画像形成装置部と画像読取装置部との間の空間に設けられている状態を示した概略斜視図である。
【図２】前記の実施形態に係る画像形成装置における画像形成装置部において、記録媒体にトナー画像を形成する状態を示した概略説明図である。
【図３】前記の実施形態に係る画像形成装置において、画像形成装置部と画像読取装置部との間の排紙部に、トナー画像が定着された記録媒体を後処理装置に導く搬送ユニットを設けた状態を示した概略説明図である。
【図４】前記の実施形態に係る画像形成装置において、冷却風吹付け装置から記録媒体に対して吹き付ける冷却風の垂直方向の風量を調整する冷却風調整手段の第１の例を示し、前記の排紙部に搬送ユニットを装着させていない状態で、冷却風吹付けユニット下部の開口部を通して、トナー画像が定着された記録媒体に対して冷却風を吹き付ける状態を示した部分概略説明図である。
【図５】図４に示した画像形成装置において、前記の排紙部に搬送ユニットを装着させた状態で、冷却風吹付けユニット下部の開口部を通して、トナー画像が定着された記録媒体に対して冷却風を吹き付ける状態を示した部分概略説明図である。
【図６】前記の実施形態に係る画像形成装置において、冷却風吹付け装置から記録媒体に対して吹き付ける冷却風の垂直方向の風量を調整する冷却風調整手段の第２の例を示し、前記の排紙部に搬送ユニットを装着させていない状態で、冷却風吹付けユニット下部の開口部を通して、トナー画像が定着された記録媒体に冷却風を吹き付ける状態を示した部分概略説明図である。
【図７】図６に示した画像形成装置において、前記の排紙部に搬送ユニットを装着させた状態で、冷却風吹付けユニット下部の開口部を通して、トナー画像が定着された記録媒体に対して冷却風を吹き付ける状態を示した部分概略説明図である。
【図８】前記の実施形態に係る画像形成装置において、冷却風吹付け装置から記録媒体に対して吹き付ける冷却風の垂直方向の風量を調整する冷却風調整手段の第３の例を示し、前記の排紙部に搬送ユニットを装着させていない状態で、冷却風吹付けユニット下部の開口部を通して、トナー画像が定着された記録媒体に対して冷却風を吹き付ける状態を示した部分概略説明図である。
【図９】図８に示した画像形成装置において、前記の排紙部に搬送ユニットを装着させた状態で、冷却風吹付けユニット下部の開口部を通して、トナー画像が定着された記録媒体に対して冷却風を吹き付ける状態を示した部分概略説明図である。
【図１０】前記の実施形態に係る画像形成装置において、前記の冷却風吹付けユニット下部の開口部に、記録媒体の排紙方向に沿った案内リブを設けた状態を示した概略説明図である。
【図１１】前記の実施形態に係る画像形成装置において、冷却風吹付け装置から記録媒体に対して吹き付ける冷却風の垂直方向の風量を調整する冷却風調整手段の第４の例において使用する冷却風吹出し部材を示した概略説明図である。
【図１２】図１１の冷却風吹出し部材を用いた冷却風調整手段の第４の例において、前記の排紙部に搬送ユニットを装着させていない状態で、前記の冷却風吹出し部材における吹出しスリットから、トナー画像が定着された記録媒体に対して冷却風を吹き付ける状態を示した部分概略説明図である。
【図１３】図１１の冷却風吹出し部材を用いた冷却風調整手段の第４の例において、前記の排紙部に搬送ユニットを装着させた状態で、前記の冷却風吹出し部材における吹出しスリットから、トナー画像が定着された記録媒体に対して冷却風を吹き付ける状態を示した部分概略説明図である。
【発明を実施するための形態】
【００２０】
次に、本発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２１】
この実施形態の画像形成装置１においては、図１に示すように、記録媒体にトナー画像を形成する画像形成装置部２の上に、自動読取装置３ａを備えた画像を読み取る画像読取装置部３が設けられ、前記の画像形成装置部２と画像読取装置部３との間の空間部にトナー画像が形成された記録媒体を排出させる排出部４が形成されている。
【００２２】
そして、上記の画像形成装置部２においては、図２に示すように、記録媒体Ｓにトナー画像を形成するにあたり、給紙カセット１１に収容された記録媒体Ｓを給紙ローラー１２により給紙し、このように給紙した記録媒体Ｓを一対のレジストローラー１３間に導き、このレジストローラー１３によって適当なタイミングで前記の記録媒体Ｓを画像形成部２０に送るようにしている。
【００２３】
また、この画像形成部２０においては、感光体２１と、この感光体２１の表面を帯電させる帯電装置２２と、帯電された感光体２１の表面に画像情報に基づく露光を行って静電潜像を形成する潜像形成装置２３と、感光体２１の表面に形成された静電潜像にトナーを供給してトナー画像を形成する現像装置２４等とを備えた４つのイメージングカートリッジ２０Ａ〜２０Ｄを設けている。
【００２４】
ここで、前記の各イメージングカートリッジ２０Ａ〜２０Ｄにおける各現像装置２４においては、黒色，黄色，マゼンダ色，シアン色の異なった色彩のトナーが収容されており、各イメージングカートリッジ２０Ａ〜２０Ｄにおける各感光体２１の表面に形成された静電潜像に、前記の各現像装置２４からそれぞれの色彩のトナーを供給して、各感光体２１の表面にそれぞれの色彩のトナー画像を形成するようにしている。
【００２５】
そして、このように各イメージングカートリッジ２０Ａ〜２０Ｄにおける各感光体２１の表面に形成された各色彩のトナー画像を、回転駆動される中間転写ベルト２５に転写させて、この中間転写ベルト２５の上に各色彩のトナー画像が合成されたトナー画像を形成するようにしている。
【００２６】
次いで、このように中間転写ベルト２５の上に形成されたトナー画像を転写ローラー２６の位置に導く一方、前記のレジストローラー１３により記録媒体Ｓを前記の中間転写ベルト２５と転写ローラー２６との間に導き、中間転写ベルト２５の上に形成されたトナー画像をこの記録媒体Ｓに転写させるようにしている。
【００２７】
そして、このようにトナー画像が転写された記録媒体Ｓを定着装置２７に導き、この定着装置２７により前記のトナー画像を記録媒体Ｓに加熱定着させた後、このようにトナー画像が加熱定着された記録媒体Ｓを排紙ローラー１４に導き、この排紙ローラー１４によりトナー画像が定着された記録媒体Ｓを前記の排紙部４に排紙させるようにしている。ここで、前記のように定着装置２７によりトナー画像が加熱定着されて排紙部４に排紙される記録媒体Ｓは高温になっている。
【００２８】
このため、この実施形態の画像形成装置１においては、前記のように排紙ローラー１４から排紙部４に排紙される前記の記録媒体Ｓに対して、冷却風吹付け装置３０から冷却風を吹き付けて、トナー画像が加熱定着されて高温になっている記録媒体Ｓを冷却させるようにしている。
【００２９】
また、この実施形態の画像形成装置１において、上記のようにトナー画像が定着された記録媒体Ｓに対して、ステープル処理やパンチ穴処理や折り処理等の後処理を行う場合には、図３に示すように、前記の排紙部４に搬送ユニット５を装着させ、排紙ローラー１４により排紙部４に排紙される前記の記録媒体Ｓをこの搬送ユニット５を通して後処理装置６に導くようにしている。
【００３０】
ここで、この実施形態の画像形成装置１における前記の冷却風吹付け装置３０においては、図２に示すように、画像形成装置部２内に設けられた冷却ファン３１からの冷却風を、送風ダクト３２を通して前記の排紙ローラー１４よりも排紙方向下流側で排紙ローラー１４の上方に設けられた冷却風吹付けユニット３３に導くようにしている。そして、この冷却風吹付けユニット３３に設けられた導入口３３ａを通して冷却風を冷却風吹付けユニット３３内に導入させ、この冷却風吹付けユニット３３の下部から冷却風を、排紙ローラー１４によって排紙部４に排紙される前記の記録媒体Ｓに吹き付けるようにしている。
【００３１】
また、この実施形態の画像形成装置１においては、前記のように排紙ローラー１４によって排紙部４に排紙される前記の記録媒体Ｓに対して、冷却風吹付け装置３０から冷却風を吹き付けて、トナー画像が加熱定着されて高温になっている記録媒体Ｓを冷却させるにあたり、冷却風吹付け装置３０から記録媒体Ｓに対して吹き付ける冷却風の垂直方向の風量を調整する冷却風調整手段として、前記の導入口３３ａの開口面積を調整する調整部材３４を設けている。
【００３２】
そして、この実施形態の画像形成装置１において、図４に示すように、排紙部４に搬送ユニット５を装着させていない状態では、前記の導入口３３ａの開口面積が大きくなるように前記の調整部材３４を移動させ、前記の冷却ファン３１から送風ダクト３２を通して冷却風吹付けユニット３３内に導かれる冷却風の風量を多くし、排紙ローラー１４から排紙部４に排紙される前記の記録媒体Ｓに対して、この冷却風吹付けユニット３３下部の開口部３３ｂから吹き付ける冷却風の垂直方向の風量が多くなるようにする。
【００３３】
このようにすると、トナー画像が定着された記録媒体Ｓが冷却風により十分に冷却されて、排紙部４に順々に排紙されて積層されるようになり、画像形成装置部２と画像読取装置部３との間の排紙部４に熱がこもったり、排紙部４に排紙されて積層された記録媒体Ｓ相互がくっついたりするということがなくなる。
【００３４】
一方、図５に示すように、排紙部４に搬送ユニット５を装着させた状態では、前記の導入口３３ａの開口面積が小さくなるように前記の調整部材３４を移動させ、前記の冷却ファン３１から送風ダクト３２を通して冷却風吹付けユニット３３内に導かれる冷却風の風量を少なくし、排紙ローラー１４から排紙部４に排紙される前記の記録媒体Ｓに対して、この冷却風吹付けユニット３３下部の開口部３３ｂから吹き付ける冷却風の垂直方向の風量が少なくなるようにする。
【００３５】
このようにすると、排紙ローラー１４から排紙部４に排紙されて搬送ユニット５に導かれる記録媒体Ｓに対して垂直方向に吹き付ける冷却風の吹付け力が弱くなり、排紙部４に排紙されて搬送ユニット５に導かれる記録媒体Ｓがこの冷却風によって排紙部４において振動したりするのが抑制され、トナー画像が定着された記録媒体Ｓが搬送ユニット５において適切に搬送されて、前記の後処理装置６に適切に導かれるようになる。
【００３６】
なお、この実施形態の画像形成装置１においては、冷却風吹付け装置３０から記録媒体Ｓに対して吹き付ける冷却風の垂直方向の風量を調整する冷却風調整手段として、前記のように冷却ファン３１から送風ダクト３２を通して冷却風を冷却風吹付けユニット３３に導入させる導入口３３ａの開口面積を調整する調整部材３４を設けるようにしたが、冷却風吹付け装置３０から記録媒体Ｓに対して吹き付ける冷却風の垂直方向の風量を調整する冷却風調整手段はこのようなものに限定されない。
【００３７】
例えば、図６及び図７に示すように、前記の冷却ファン３１から送風ダクト３２を通して冷却風吹付けユニット３３内に導入口３３ａから導入される冷却風の風量を一定にする一方、記録媒体Ｓに対して吹き付ける冷却風の垂直方向の風量を調整する冷却風調整手段として、前記の冷却風吹付けユニット３３内に、前記の冷却風を排紙ローラー１４から排紙部４に排紙される前記の記録媒体Ｓに案内する案内ルーバー３５を記録媒体Ｓの排紙方向に回動可能に設け、この案内ルーバー３５を回動装置３５ａにより回動させるようにすることができる。そして、この冷却風吹付けユニット３３内に導かれた冷却風を、この案内ルーバー３５を通して冷却風吹付けユニット３３下部の開口部３３ｂから排紙部４に排紙される記録媒体Ｓに吹き付けるにあたり、前記の回動装置３５ａにより案内ルーバー３５を回動させて、記録媒体Ｓに吹き付ける冷却風を、記録媒体Ｓに対して垂直方向、或いは記録媒体Ｓの排紙方向下流側に向けて傾斜する方向に案内させるようにすることができる。
【００３８】
ここで、図６に示すように、排紙部４に搬送ユニット５を装着させていない状態では、前記の案内ルーバー３５を回動装置３５ａにより回動させて、案内ルーバー３５を記録媒体Ｓの排出方向と直交する下方に向けるようにし、この案内ルーバー３５を通して冷却風を、冷却風吹付けユニット３３下部の開口部３３ｂから排紙部４に排紙される記録媒体Ｓに対して垂直方向に吹き付け、記録媒体Ｓに対して吹き付ける冷却風の垂直方向の風量が多くなるようにする。
【００３９】
このようにすると、前記の場合と同様に、トナー画像が定着された記録媒体Ｓが冷却風により十分に冷却されて、排紙部４に順々に排紙されて積層されるようになり、画像形成装置部２と画像読取装置部３との間の排紙部４に熱がこもったり、排紙部４に排紙されて積層された記録媒体Ｓ相互がくっついたりするということがなくなる。
【００４０】
一方、図７に示すように、排紙部４に搬送ユニット５を装着させた状態では、前記の案内ルーバー３５を回動装置３５ａにより回動させて、案内ルーバー３５を記録媒体Ｓの排紙方向下流側に向けて傾斜させ、この案内ルーバー３５を通して冷却風を、冷却風吹付けユニット３３下部の開口部３３ｂから排紙部４に排紙される記録媒体Ｓに対して、記録媒体Ｓの排紙方向下流側に向けて傾斜するように吹き付け、記録媒体Ｓに対して吹き付ける冷却風の垂直方向の風量が少なくなるようにする。
【００４１】
このようにすると、前記の場合と同様に、排紙部４に排紙されて搬送ユニット５に導かれる記録媒体Ｓがこの冷却風によって排紙部４において振動したりするのが抑制されると共に、記録媒体Ｓの排紙方向下流側に向けて吹き付けられる冷却風により、トナー画像が定着された記録媒体Ｓが搬送ユニット５においてより適切に搬送されて、前記の後処理装置６に適切に導かれるようになる。
【００４２】
また、図８及び図９に示すように、前記の冷却風吹付けユニット３３内に冷却ファン３６を設けると共に、記録媒体Ｓに対して吹き付ける冷却風の垂直方向の風量を調整する冷却風調整手段として、冷却風吹付けユニット３３内に設けられた前記の冷却ファン３６を記録媒体Ｓの排紙方向に回動可能に設け、この冷却ファン３６を回動装置３６ａにより回動させるようにすることができる。そして、この冷却ファン３６からの冷却風を冷却風吹付けユニット３３下部の開口部３３ｂから排紙部４に排紙される記録媒体Ｓに吹き付けるにあたり、前記の回動装置３６ａにより冷却ファン３６を回動させて冷却風を、記録媒体Ｓに対して垂直方向、或いは記録媒体Ｓの排紙方向下流側に向けて傾斜する方向に吹き付けるようにすることができる。
【００４３】
ここで、図８に示すように、排紙部４に搬送ユニット５を装着させていない状態では、前記の冷却ファン３６を回動装置３６ａにより回動させて、記録媒体Ｓの排出方向と直交する下方に向け、この冷却ファン３６からの冷却風を、冷却風吹付けユニット３３下部の開口部３３ｂから排紙部４に排紙される記録媒体Ｓに対して垂直方向に吹き付け、記録媒体Ｓに対して吹き付ける冷却風の垂直方向の風量が多くなるようにする。
【００４４】
このようにすると、前記の場合と同様に、トナー画像が定着された記録媒体Ｓが冷却風により十分に冷却されて、排紙部４に順々に排紙されて積層されるようになり、画像形成装置部２と画像読取装置部３との間の排紙部４に熱がこもったり、排紙部４に排紙されて積層された記録媒体Ｓ相互がくっついたりするということがなくなる。
【００４５】
一方、図９に示すように、排紙部４に搬送ユニット５を装着させた状態では、前記の冷却ファン３６を回動装置３６ａにより回動させて、冷却ファン３６を記録媒体Ｓの排紙方向下流側に向かう方向に傾斜させ、この冷却ファン３６からの冷却風を、冷却風吹付けユニット３３下部の開口部３３ｂから排紙部４に排紙される記録媒体Ｓに対して、記録媒体Ｓの排紙方向下流側に向けて傾斜するように吹き付け、記録媒体Ｓに対して吹き付ける冷却風の垂直方向の風量が少なくなるようにする。
【００４６】
このようにすると、前記の場合と同様に、排紙部４に排紙されて搬送ユニット５に導かれる記録媒体Ｓがこの冷却風によって排紙部４において振動したりするのが抑制されると共に、記録媒体Ｓの排紙方向下流側に向けて吹き付けられる冷却風により、トナー画像が定着された記録媒体Ｓが搬送ユニット５においてより適切に搬送されて、前記の後処理装置６に適切に導かれるようになる。
【００４７】
なお、前記のように冷却風吹付けユニット３３の下部から、排紙部４に排紙される記録媒体Ｓに対して冷却風を吹き付けるにあたり、図１０に示すように、前記の冷却風吹付けユニット３３下部の開口部３３ｂに、記録媒体Ｓの排紙方向に沿った案内リブ３３ｃを設けると、排紙ローラー１４から排紙部４に排紙される記録媒体Ｓが誤って冷却風吹付けユニット３３内に入り込むのが防止されると共に、排紙部４に搬送ユニット５を装着させた場合、前記の記録媒体Ｓがこの案内リブ３３ｂに案内されて、前記の搬送ユニット５内において適切に搬送されるようになる。
【００４８】
また、前記の実施形態においては、冷却風吹付けユニット３３下部の開口部３３ｂから、排紙ローラー１４から排紙部４に排紙される記録媒体Ｓに対して冷却風を吹き付けるようにすると共に、この冷却風吹付けユニット３３下部の開口部３３ｂから記録媒体Ｓに対して吹き付ける冷却風の垂直方向の風量を各種の冷却風調整手段によって調整するようにしたが、図１１に示すように、排紙される記録媒体Ｓの幅方向に沿った吹出しスリット３７ａが設けられた冷却風吹出し部材３７を用い、この冷却風吹出し部材３７を、図１２及び図１３に示すように、排紙ローラー１４よりも排紙方向下流側で排紙ローラー１４の上方の位置において、記録媒体Ｓの排紙方向に回動可能に設け、この冷却風吹出し部材３７を回動装置３７ｂにより回動させるようにすることもできる。
【００４９】
そして、図１２に示すように、排紙部４に搬送ユニット５を装着させていない状態では、前記の冷却風吹出し部材３７を記録媒体Ｓの排出方向と直交する下方に向け、この冷却風吹出し部材３７の吹出しスリット３７ａから冷却風を、排紙ローラー１４から排紙部４に排紙される記録媒体Ｓに対して垂直方向に吹き付けるようにし、記録媒体Ｓに対して吹き付ける冷却風の垂直方向の風量が多くなるようにする。
【００５０】
このようにすると、前記の各場合と同様に、トナー画像が定着された記録媒体Ｓが冷却風により十分に冷却されて、排紙部４に順々に排紙されて積層されるようになり、画像形成装置部２と画像読取装置部３との間の排紙部４に熱がこもったり、排紙部４に排紙されて積層された記録媒体Ｓ相互がくっついたりするということがなくなる。
【００５１】
一方、図１３に示すように、排紙部４に搬送ユニット５を装着させた状態では、前記の冷却風吹出し部材３７を回動装置３７ｂにより記録媒体Ｓの排紙方向下流側に向かう方向に傾斜するように回動させ、この冷却風吹出し部材３７の吹出しスリット３７ａから冷却風を、排紙部４に排紙される記録媒体Ｓに対して、記録媒体Ｓの排紙方向下流側に向けて傾斜するように吹き付け、記録媒体Ｓに対して吹き付ける冷却風の垂直方向の風量が少なくなるようにする。
【００５２】
このようにすると、前記の各場合と同様に、排紙部４に排紙されて搬送ユニット５に導かれる記録媒体Ｓがこの冷却風によって排紙部４において振動したりするのが抑制されると共に、記録媒体Ｓの排紙方向下流側に向けて吹き付けられる冷却風により、トナー画像が定着された記録媒体Ｓが搬送ユニット５においてより適切に搬送されて、前記の後処理装置６に適切に導かれるようになる。
【符号の説明】
【００５３】
１  画像形成装置
２  画像形成装置部
３  画像読取装置部、３ａ  自動読取装置
４  排出部
５  搬送ユニット
６  後処理装置
１１  給紙カセット
１２  給紙ローラー
１３  レジストローラー
１４  排紙ローラー
２０  画像形成部、２０Ａ〜２０Ｄ  イメージングカートリッジ、２１  感光体、２２  帯電装置、２３  潜像形成装置、２４  現像装置、２５  中間転写ベルト、２６  転写ローラー、２７  定着装置
３０  冷却風吹付け装置
３１  冷却ファン
３２  送風ダクト
３３  冷却風吹付けユニット、３３ａ  導入口、３３ｂ  開口部、３３ｃ  案内リブ
３４  調整部材
３５  案内ルーバー、３５ａ  回動装置
３６  冷却ファン、３６ａ  回動装置
３６  冷却風吹出し部材、３７ａ  吹出しスリット、３７ｂ  回動装置
Ｓ  記録媒体
【図１】
2014021250.tif 000003
【図２】
2014021250.tif 000004
【図３】
2014021250.tif 000005
【図４】
2014021250.tif 000006
【図５】
2014021250.tif 000007
【図６】
2014021250.tif 000008
【図７】
2014021250.tif 000009
【図８】
2014021250.tif 000010
【図９】
2014021250.tif 000011
【図１０】
2014021250.tif 000012
【図１１】
2014021250.tif 000013
【図１２】
2014021250.tif 000014
【図１３】
2014021250.tif 000015